(57)【要約】【課題】装置全体の大型化を抑えつつ、スチームを広範囲に噴射することができる衣類用スチーマーを提供すること。【解決手段】外殻体と、貯水部７と、ヒータ１４と、前記貯水部７から送られた水を前記ヒータ１４により加熱してスチームＳとする気化ユニット９と、この気化ユニット９で生成されたスチームＳを噴出する複数の噴出孔部２１が設けられた噴出部としてのアイロンベース３とを有する衣類用スチーマーにおいて、前記噴出孔部２１が、前記気化ユニット９側から外側に向けて流通面積が拡大する錐状凹部を有すると共に、前記噴出孔部２１Ａの錐状凹部及び前記噴出孔部２１Ｃの錐状凹部が斜錐凹状であることで、これらの噴出孔部２１Ａ，２１Ｃから噴出するスチームＳを、斜錐凹状の前記錐状凹部の傾斜側に傾くように噴出させることができる。【選択図】図８
2020130651.tif 000002
【特許請求の範囲】
【請求項１】
外殻体と、貯水部と、ヒータと、前記貯水部から送られた水を前記ヒータにより加熱してスチームとする気化ユニットと、この気化ユニットで生成されたスチームを噴出する複数の噴出孔部が設けられた噴出部とを有する衣類用スチーマーにおいて、
少なくとも一つの前記噴出孔部が、前記気化ユニット側から外側に向けて流通面積が拡大する斜錐凹状の錐状凹部を有することを特徴とする衣類用スチーマー。
【請求項２】
前記噴出孔部の下流側において、斜錐凹状の錐状凹部を有する一の前記噴出孔部と、他の噴出孔部とが、これらの中心軸線同士が前記噴出部から離れるに従って間隔が拡がる組み合わせを有することを特徴とする請求項１記載の衣類用スチーマー。
【請求項３】
前記噴出孔部の下流側において、斜錐凹状の錐状凹部を有する一の前記噴出孔部と、他の噴出孔部とが、これらの中心軸線同士がねじれの位置にある組み合わせを有することを特徴とする請求項１記載の衣類用スチーマー。
【請求項４】
斜錐凹状の錐状凹部を有する前記噴出孔において、前記錐状凹部の側面を延長して定義される仮想頂点から前記噴出部の外面に垂下した仮想線が、前記錐状凹部の仮想底面と交差することを特徴とする請求項１乃至３記載の衣類用スチーマー。
【発明の詳細な説明】
【技術分野】
【０００１】
本発明は、衣類にスチームを当てることで衣類の皺を伸ばすことができる衣類用スチーマーに関するものである。
【背景技術】
【０００２】
従来、この種の衣類用スチーマーとしては、下側カバー体及び上側カバー体（それぞれ本願発明の外殻体に相当する）と、貯水部と、ヒータと、前記貯水部内の水を前記ヒータにより加熱してスチームとする気化ユニットと、この気化ユニットで生成されたスチームを噴出する複数の第１の噴出孔を備えたアイロンベース（本願発明の噴出部に相当する）とを有するスチームアイロンが知られている（例えば、特許文献１参照。）。そして、このスチームアイロンは、前記アイロンベースの底面壁に着脱可能なアタッチメントを有し、このアタッチメントに複数の第２の噴出孔が設けられる。これらの第２の噴出孔は、前記第１の噴出孔よりも幅広となる範囲に形成される。このため、前記アイロンベースに前記アタッチメントを取り付けて衣類用スチーマーとして使用すれば、広範囲に勢いの強いスチームを噴出させることができるので、ハンガー等にかけた衣類等のしわ伸ばしを効果的に行うことができる。
【先行技術文献】
【特許文献】
【０００３】
【特許文献１】特開２０１６−１１６６４９号公報
【発明の概要】
【発明が解決しようとする課題】
【０００４】
しかしながら、特許文献１のような装置は、衣類用スチーマーとして使用する場合に、前記下側カバー体及び上側カバー体の輪郭から突出する大型の前記アタッチメントを前記アイロンベースに装着して使用することになるため、全体として大型化してしまうという問題があった。一方、前記アタッチメントを前記アイロンベースに装着しなければ、前記第１の噴出孔から噴出されるスチームの広がりが少なく、ハンガー等にかけた衣類等のしわ伸ばしを効果的に行うことができない。
【０００５】
本発明は以上の問題点を解決し、装置全体の大型化を抑えつつ、スチームを広範囲に噴射することができる衣類用スチーマーを提供することを目的とする。
【課題を解決するための手段】
【０００６】
本発明の請求項１に記載の衣類用スチーマーは、外殻体と、貯水部と、ヒータと、前記貯水部から送られた水を前記ヒータにより加熱してスチームとする気化ユニットと、この気化ユニットで生成されたスチームを噴出する複数の噴出孔部が設けられた噴出部とを有する衣類用スチーマーにおいて、少なくとも一つの前記噴出孔部が、前記気化ユニット側から外側に向けて流通面積が拡大する斜錐凹状の錐状凹部を有するものである。
【０００７】
また、本発明の請求項２に記載の衣類用スチーマーは、請求項１において、前記噴出孔部の下流側で、斜錐凹状の錐状凹部を有する一の前記噴出孔部と、他の噴出孔部とが、これらの中心軸線同士が前記噴出部から離れるに従って間隔が拡がる組み合わせを有するものである。
【０００８】
また、本発明の請求項３に記載の衣類用スチーマーは、請求項１において、前記噴出孔部の下流側で、斜錐凹状の錐状凹部を有する一の前記噴出孔部と、他の噴出孔部とが、これらの中心軸線同士がねじれの位置にある組み合わせを有するものである。
【０００９】
更に、本発明の請求項３に記載の衣類用スチーマーは、請求項１乃至３において、斜錐凹状の錐状凹部を有する前記噴出孔部において、前記錐状凹部の側面を延長して定義される仮想頂点から前記噴出部の外面に垂下した仮想線が、前記錐状凹部の仮想底面と交差することを特徴とするものである。
【発明の効果】
【００１０】
本発明の請求項１に記載の衣類用スチーマーは、以上のように構成することにより、前記気化ユニットで発生したスチームが前記噴出部の噴出孔部から噴出する際に、少なくとも一つの前記噴出孔部から噴出するスチームを、斜錐凹状の前記錐状凹部の傾斜側に傾くように噴出させることができる。
【００１１】
なお、前記噴出孔部の下流側において、斜錐凹状の錐状凹部を有する一の前記噴出孔部と、他の噴出孔部とが、これらの錐状凹部の中心軸線同士が、前記噴出部から離れるに従って間隔が拡がる組み合わせを有することで、スチームの噴出範囲を拡げることができる。
【００１２】
また、前記噴出孔部の下流側で、斜錐凹状の錐状凹部を有する一の前記噴出孔部と、他の噴出孔部とが、これらの錐状凹部の中心軸線同士が、前記噴出部から離れるに従って間隔が一旦縮まった後に拡がる組み合わせを有することで、スチームの噴出範囲を拡げることができる。
【００１３】
更に、斜錐凹状の錐状凹部を有する前記噴出孔において、前記錐状凹部の側面を延長して定義される仮想頂点から前記噴出部の外面に垂下した仮想線が、前記錐状凹部の仮想底面と交差することで、前記噴出部を容易に製造することができる。
【図面の簡単な説明】
【００１４】
【図１】本発明の一実施形態を示す衣類用スチーマーの正面図である。
【図２】同、左側面図である。
【図３】同、背面図である。
【図４】同、噴出部としてのアイロンベースの拡大図である。
【図５】同、アイロンベースの拡大Ａ−Ａ断面図である。
【図６】同、アイロンベースの拡大Ｂ−Ｂ断面図である。
【図７】同、アイロンベースの拡大Ｃ−Ｃ断面図である。
【図８】同、内部構造の概略説明図である。
【図９】本発明の第二の実施形態を示す衣類用スチーマーのアイロンベースの拡大図である。
【図１０】本発明の第三の実施形態を示す衣類用スチーマーのアイロンベースの拡大図である。
【図１１】本発明の第四の実施形態を示す衣類用スチーマーのアイロンベースの拡大図である。
【発明を実施するための形態】
【００１５】
以下、本発明の第一の実施形態について、図１乃至図８に基づいて説明する。なお、本実施形態では、図１乃至図８の姿勢を基準として上下を規定する。
【００１６】
１は本発明の衣類用スチーマーである。この衣類用スチーマー１は、外殻体２と、噴出部としてのアイロンベース３とを有する。前記外殻体２は、本体部４と把持部５とを有する。そして、前記把持部５の根元部分には、送水操作部６が設けられる。また、前記外殻体２の前記本体部４内には、貯水部７と、送水ポンプ８と、気化ユニット９が設けられる。更に、この気化ユニット９に、前記アイロンベース３が取り付けられる。なお、前記貯水部７と送水ポンプ８は第１の管１０で接続されると共に、前記送水ポンプ８と気化ユニット９は第２の管１１で接続される。なお、図８では省略したが、前記貯水部７には給水口１２が設けられる。この給水口１２は、着脱可能な蓋１３によって塞がれる。また、前記送水ポンプ８は手動ポンプであり、前記送水操作部６を操作することによって、前記貯水部７内の水を前記気化ユニット９へ送るように構成される。なお、前記送水ポンプ８は電動ポンプであっても良い。また、前記気化ユニット９にはヒータ１４が設けられる。更に、前記気化ユニット９の前記アイロンベース３側には、スチーム排出口１５が設けられる。なお、１６は前記本体部４の正面に設けられた操作部、１７は前記衣類スチーマー１の状態を示す表示部、１８は前記把持部５の先端から引き出された電源コードである。
【００１７】
前記アイロンベース３は、板状のベース本体１９と、このベース本体１９の外周部近傍から前記本体部４側に突出して設けられる周壁部２０とを有して構成される。なお、前記ベース本体１９と周壁部２０は、一体に形成される。そして、前記ベース本体１９における前記周壁部２０で囲まれる領域には、前記ベース本体１９を貫通するように、複数の噴出孔部２１からなる噴出孔部群２２が形成される。なお、本例では、前記噴出孔部群２２は、前記噴出孔部２１を縦一列に１２カ所穿設したが、前記噴出孔部２１の数及び列の数を適宜設定することができる。また、前記周壁部２０の先端部２０Ａは、全周に亘って前記気化ユニット９の外面と密着する。このように、前記周壁部２０の先端部２０Ａが前記気化ユニット９の外面と密着することで、この気化ユニット９と前記アイロンベース３とで囲まれる空間２３が形成される。
【００１８】
前記噴出孔部群２２について詳述する。この噴出孔部群２２を構成する複数の前記噴出孔部２１は、更に３つの群に分けられる。第１群２４は、前記噴出孔部群２２の上部の４つの噴出孔部２１Ａから構成される。第２群２５は、前記噴出孔部群２２の中央の４つの噴出孔部２１Ｂから構成される。第３群２６は、前記噴出孔部群２２の下部の４つの噴出孔部２１Ｃから構成される。
【００１９】
前記噴出孔部２１Ａは、孔部２７Ａと錐状凹部２８Ａと中間部２９Ａとを有して構成される。前記孔部２７Ａは、前記ベース本体１９の前記気化ユニット９側に形成される。そして、前記孔部２７Ａは、流通断面形状が円形で且つ直径が略一定となるように形成される。なお、前記孔部２７Ａの流通断面形状は、円形以外であってもよい。前記錐状凹部２８Ａは、前記ベース本体１９の反気化ユニット９側、即ち外側に形成される。そして、前記錐状凹部２８Ａは、前記円孔部２７Ａ側から外側に向けて徐々に流通面積が拡大するように形成される。また、前記錐状凹部２８Ａの仮想底面３０Ａ（前記錐状凹部２８Ａにおける外側開口の形状と大凡一致する）は、図４に示すように、半円と半楕円とを接続した形状である。なお、前記仮想底面３０Ａは、他の形状、例えば楕円や多角形であっても良い。そして、前記錐状凹部２８Ａの側面（この「側面」は、「錐形」の数学的定義に従って、「錐形」の外面における底面以外の面に相当する面を指す。以下同じ。）を延長すると、仮想頂点３１Ａにおいて交差する。なお、前記錐状凹部２８Ａは、厳密に錐形状でなくてもよい。この場合、前記仮想頂点３１Ａは、前記孔部２７Ａの中心を通り且つ前記仮想底面３０Ａの長さ方向に延びる仮想平面と前記錐状凹部２８Ａの側面とが交差することで定義される２つの線を延長させ、これらが交差する位置と定義する。そして、前記仮想頂点３１Ａを通って前記ベース本体１９の外面と直交する垂直軸線Ａｖａに対し、前記仮想頂点３１Ａと前記仮想底面３０Ａの中心を通る前記錐状凹部２８Ａの中心軸線Ａｃａは、外側に向かうほど高くなるように傾斜する。即ち、前記錐状凹部２８Ａは斜錐凹状である。また、前記垂直軸線Ａｖａは、前記仮想底面３０Ａと交差する。
【００２０】
前記噴出孔部２１Ｂは、孔部２７Ｂと錐状凹部２８Ｂと中間部２９Ｂとを有して構成される。前記孔部２７Ｂは、前記ベース本体１９の前記気化ユニット９側に形成される。そして、前記孔部２７Ｂは、流通断面形状が円形で且つ直径が略一定となるように形成される。なお、前記孔部２７Ｂの流通断面形状は、円形以外であってもよい。前記錐状凹部２８Ｂは、前記ベース本体１９の反気化ユニット９側、即ち外側に形成される。そして、前記錐状凹部２８Ｂは、前記円孔部２７Ｂ側から外側に向けて徐々に流通面積が拡大するように形成される。また、前記錐状凹部２８Ｂの仮想底面３０Ｂ（前記錐状凹部２８Ｂにおける外側開口の形状と大凡一致する）は、図４に示すように円形である。なお、前記仮想底面３０Ｂは、他の形状、例えば楕円や多角形であっても良い。そして、前記錐状凹部２８Ｂの側面（上述により定義）を延長すると、仮想頂点３１Ｂにおいて交差する。なお、前記錐状凹部２８Ｂは、厳密に錐形状でなくてもよい。この場合、前記仮想頂点３１Ｂは、前記孔部２７Ｂの中心を通り且つ前記仮想底面３０Ｂの長さ方向に延びる仮想平面と前記錐状凹部２８Ｂの錐側面とが交差することで定義される２つの線を延長させ、これらが交差する位置と定義する。そして、前記仮想頂点３１Ｂを通って前記ベース本体１９の外面と直交する垂直軸線Ａｖｂは、前記仮想頂点３１Ｂと前記仮想底面３０Ｂの中心を通る前記錐状凹部２８Ｂの中心軸線Ａｃｂと一致する。即ち、前記錐状凹部２８Ｂは正錐状である。また、前記垂直軸線Ａｖｂは、前記仮想底面３０Ｂと交差する。
【００２１】
前記噴出孔部２１Ｃは、孔部２７Ｃと錐状凹部２８Ｃと中間部２９Ｃとを有して構成される。前記孔部２７Ｃは、前記ベース本体１９の前記気化ユニット９側に形成される。そして、前記孔部２７Ｃは、流通断面形状が円形で且つ直径が略一定となるように形成される。なお、前記孔部２７Ｃの流通断面形状は、円形以外であってもよい。前記錐状凹部２８Ｃは、前記ベース本体１９の反気化ユニット９側、即ち外側に形成される。そして、前記錐状凹部２８Ｃは、前記円孔部２７Ｃ側から外側に向けて徐々に流通面積が拡大するように形成される。また、前記錐状凹部２８Ｃの仮想底面３０Ｃ（前記錐状凹部２８Ｃにおける外側開口の形状と大凡一致する）は、図４に示すように、半円と半楕円とを接続した形状である。なお、前記仮想底面３０Ｃは、他の形状、例えば楕円や多角形であっても良い。そして、前記錐状凹部２８Ｃの側面（上述により定義）を延長すると、仮想頂点３１Ｃにおいて交差する。なお、前記錐状凹部２８Ｃは、厳密に錐形状でなくてもよい。この場合、前記仮想頂点３１Ｃは、前記孔部２７Ｃの中心を通り且つ前記仮想底面３０Ｃの長さ方向に延びる仮想平面と前記錐状凹部２８Ｃの側面とが交差することで定義される２つの線を延長させ、これらが交差する位置と定義する。そして、前記仮想頂点３１Ｃを通って前記ベース本体１９の外面と直交する垂直軸線Ａｖｃに対し、前記仮想頂点３１Ｃと前記仮想底面３０Ｃの中心を通る前記錐状凹部２８Ｃの中心軸線Ａｃｃは、外側に向かうほど低くなるように傾斜する。即ち、前記錐状凹部２８Ｃは斜錐凹状である。また、前記垂直軸線Ａｖｃは、前記仮想底面３０Ｃと交差する。
【００２２】
即ち、前記噴出孔部群２２は、図１乃至図７の姿勢において、上部の前記第１群２４の噴出孔部２１Ａの中心軸線Ａｃａが上向きに傾斜し、中央の前記第２群２５の噴出孔部２１Ｂの中心軸線Ａｃｂが水平であり、下部の前記第３群２６の噴出孔部２１Ｃの中心軸線Ａｃｃが下向きに傾斜する。従って、前記噴出孔部群２２の各噴出孔部２１の中心軸線Ａｃａ，Ａｃｂ，Ａｃｃは、前記ベース本体１９から離れるに従って拡がるようにされる。そして、前記各垂直軸線Ａｖａ，Ａｖｂ，Ａｖｃが、何れも前記仮想底面３０Ａ，３０Ｂ，３０Ｃと交差するので、前記アイロンベース３を製造する際に、容易に型抜きをすることができる。即ち、複数の前記噴出孔部２１が穿設された前記アイロンベース３を容易に製造することができる。
【００２３】
次に、本実施形態の作用について説明する。まず使用者は、予め前記蓋１３を開き、前記給水口１２から前記貯水部７内に給水した後、前記蓋１３を閉じる。そして、前記電源コード１８の図示しないプラグを電源に接続し、前記操作部１６を操作する。これによって、前記ヒータ１４が通電され、前記スチーム排出口１５が加熱される。そして、前記スチーム排出口１５が十分加熱されて使用可能な状態となると、前記表示部１７の表示状態が変化する。これによって、前記衣類用スチーマー１が使用可能となったことが分かる。
【００２４】
前記衣類用スチーマー１が使用可能な状態になると、使用者は前記把持部５を把持し、前記アイロンベース３を処理対象の衣類に向けた状態で、前記送水操作部６を操作して前記送水ポンプ８を作動させ、前記貯水部７内の水を、加熱された前記気化ユニット９へ送る。この気化ユニット９に送られた水は、この気化ユニット９内で速やかに気化してスチームＳとなり、前記スチーム排出口１５から前記空間２３に送られる。そして、この空間２３に送られたスチームは、全てのスチーム噴出口２１から前記アイロンベース３の外部に噴出する。
【００２５】
なお、前述したように、前記噴出孔部群２２の各噴出孔部２１の中心軸線Ａｃａ，Ａｃｂ，Ａｃｃは、前記ベース本体１９から離れるに従って拡がるようにされる。このため、前記噴出孔部群２２の各噴出孔部２１から噴出するスチームＳは、図８に示すように、上下に拡がりながら噴出する。このように、前記第１群２４の噴出孔部２１Ａの中心軸線Ａｃａを上向きに、前記第３群２６の噴出孔部２１Ｃの中心軸線Ａｃｃを下向きに傾斜させることで、スチームＳの噴射範囲を拡げるためのアタッチメントを使用することなく、処理対象の衣類の広範囲にスチームＳを当てることができる。即ち、前記衣類用スチーマー１全体の大型化を抑制することができる。これによって、使用者は、前記衣類用スチーマー１の操作を容易に行うことができる。また、処理対象の衣類の広範囲にスチームＳを当てて、効果的に処理することができる。
【００２６】
以上のように本発明は、外殻体２と、貯水部７と、ヒータ１４と、前記貯水部７から送られた水を前記ヒータ１４により加熱してスチームＳとする気化ユニット９と、この気化ユニット９で生成されたスチームＳを噴出する複数の噴出孔部２１が設けられた噴出部としてのアイロンベース３とを有する衣類用スチーマー１において、
前記噴出孔部２１Ａ，２１Ｃが、前記気化ユニット９側から外側に向けて流通面積が拡大する斜錐凹状の錐状凹部２８Ａ，２８Ｃを有することで、前記噴出孔部２１Ａ，２１Ｃから噴出するスチームＳを、斜錐凹状の前記錐状凹部２８Ａ，２８Ｃの傾斜側に傾くように噴出させることができるものである。
【００２７】
また本発明は、前記噴出孔部２１の下流側において、斜錐凹状の錐状凹部２８Ａを有する一の前記噴出孔部２１Ａと、他の噴出孔部２１Ｂ，２１Ｃとが、これらの中心軸線Ａｃａ，Ａｃｂ，Ａｃｃ同士が、前記アイロンベース３から離れるに従って間隔が拡がることで、スチームＳの噴出範囲を拡げることができるものである。
【００２８】
更に本発明は、斜錐凹状の錐状凹部２８Ａ，２８Ｃを有する前記噴出孔部２１Ａ，２１Ｃにおいて、前記錐状凹部２８Ａ，２８Ｃの側面を延長して定義される仮想頂点３１Ａ，３１Ｃから前記アイロンベース３の外面に垂下した仮想線である垂直軸線Ａｖａ，Ａｖｃが、前記錐状凹部２８Ａ，２８Ｃの仮想底面３０Ａ，３０Ｃと交差することで、前記アイロンベース３を製造する際に、容易に型抜きをすることができるので、前記アイロンベース３を容易に製造することができるものである。
【００２９】
次に、本発明の第二の実施形態について、図９に基づいて説明する。なお、本実施形態では、図９の姿勢を基準として上下を規定する。また、本実施形態において、噴出部としてのアイロンベース４１以外の構成は、第一の実施形態と共通するので、共通部分の説明を省略する。
【００３０】
前記アイロンベース４１は、板状のベース本体４２と、このベース本体４２の外周部近傍から前記本体部４側に突出して設けられる周壁部（図示せず）とを有して構成される。なお、前記ベース本体４２と周壁部は、一体に形成される。そして、前記ベース本体４２における前記周壁部で囲まれる領域には、前記ベース本体４２を貫通するように、複数の噴出孔部４３からなる噴出孔部群４４が形成される。なお、本例では、前記噴出孔部群４４は、前記噴出孔部４３を縦一列に１２カ所穿設したが、前記噴出孔部４３の数及び列の数を適宜設定することができる。
【００３１】
前記噴出孔部群４４について詳述する。この噴出孔部群４４を構成する複数の前記噴出孔部４３は、更に３つの群に分けられる。第１群４５は、前記噴出孔部群４４の上部の４つの噴出孔部４３Ａから構成される。第２群４６は、前記噴出孔部群４４の中央の４つの噴出孔部４３Ｂから構成される。第３群４７は、前記噴出孔部群４４の下部の４つの噴出孔部４３Ｃから構成される。
【００３２】
前記第１群４５において、４つの前記噴出孔部４３Ａは、前記噴出孔部群４４の中央から離れるに従って、中心軸線の傾斜が大きくなるように形成される。同様に、前記第３群４７において、４つの前記噴出孔部４３Ｃは、前記噴出孔部群４４の中央から離れるに従って、中心軸線の傾斜が大きくなるように形成される。一方、第２群４６において、４つの前記噴出孔部４３Ｂの中心軸線は全て平行であり、図９においては水平である。このように構成することで、上述の第一の実施形態と同様の作用効果を得ることができる。
【００３３】
次に、本発明の第三の実施形態について、図１０に基づいて説明する。なお、本実施形態では、図１０の姿勢を基準として上下を規定する。また、本実施形態において、噴出部としてのアイロンベース５１以外の構成は、上記各実施形態と共通するので、共通部分の説明を省略する。
【００３４】
前記アイロンベース５１は、板状のベース本体５２と、このベース本体５２の外周部近傍から前記本体部４側に突出して設けられる周壁部（図示せず）とを有して構成される。なお、前記ベース本体５２と周壁部は、一体に形成される。そして、前記ベース本体５２における前記周壁部で囲まれる領域には、前記ベース本体５２を貫通するように、複数の噴出孔部５３からなる噴出孔部群５４が形成される。なお、本例では、前記噴出孔部群５４は、前記噴出孔部５３を縦一列に１２カ所穿設したが、前記噴出孔部５３の数及び列の数を適宜設定することができる。
【００３５】
前記噴出孔部群５４について詳述する。この噴出孔部群５４を構成する複数の前記噴出孔部５３の中心軸線は、上下だけでなく、左右にも傾斜するように形成される。即ち、前記噴出孔部５３の中心軸線は、一つおきに交互に左右に傾斜すると共に、中央に向かうに従って縦向きの傾斜が小さくなり、横向きの傾斜が大きくなる。このように構成することで、上述の実施形態と同様の作用効果を得ることができるばかりでなく、左右方向にもスチームＳを拡げることができる。
【００３６】
次に、本発明の第四の実施形態について、図１１に基づいて説明する。なお、本実施形態では、図１１の姿勢を基準として上下を規定する。また、本実施形態において、噴出部としてのアイロンベース６１以外の構成は、上記各実施形態と共通するので、共通部分の説明を省略する。
【００３７】
前記アイロンベース６１は、板状のベース本体６２と、このベース本体６２の外周部近傍から前記本体部４側に突出して設けられる周壁部（図示せず）とを有して構成される。なお、前記ベース本体６２と周壁部は、一体に形成される。そして、前記ベース本体６２における前記周壁部で囲まれる領域には、前記ベース本体６２を貫通するように、複数の噴出孔部６３からなる噴出孔部群６４が形成される。なお、本例では、前記噴出孔部群６４は、前記噴出孔部６３Ｌ，６３Ｒを縦二列に１２カ所穿設したが、前記噴出孔部６３の数及び列の数を適宜設定することができる。また、前記噴出孔部６３Ｌと噴出孔部６３Ｒは、それぞれ前記アイロンベース６１の中心線ＣＬから等距離の位置に設けられる。
【００３８】
前記噴出孔部群６４について詳述する。この噴出孔部群６４を構成する複数の前記噴出孔部６３のうち、前記噴出孔部６３Ｌは、前記噴出孔部群６４の左側に縦一列に配列されると共に、それらの中心軸線が向かって右に傾斜するように形成される。一方、前記噴出孔部６３Ｒは、前記噴出孔部群６４の右側に縦一列に配列されると共に、それらの中心軸線が向かって左に傾斜するように形成される。なお、本実施形態では、図１１の姿勢において、前記噴出孔部６３の中心軸線は全て水平である。そして、前記噴出孔部群６４において、上方から下方に向かって、前記噴出孔部６３Ｌと前記噴出孔部６３Ｒとが交互に設けられる。従って、前記噴出孔部６３Ｌと噴出孔部６３Ｒは、それらの中心軸線同士が交差せず、ねじれの位置にある関係となる。このように構成することで、前記アイロンベース６１から離れた位置では、上述の実施形態と同様の作用効果を得ることができる。
【００３９】
なお、本発明は以上の実施形態に限定されるものではなく、発明の要旨の範囲内で種々の変形実施が可能である。例えば、上記各実施形態では、スチーム噴出口を縦一列に１２カ所穿設したが、列数及び孔の穿設数は適宜設定が可能である。また、上記各実施形態では、噴出部をアイロンベースとしたが、これ以外の噴出部としてもよい。更に、上記各実施形態では、噴出孔部を孔部と錐状凹部と中間部で形成したが、噴出孔部全体を錐状に形成してもよい。
【符号の説明】
【００４０】
１  衣類用スチーマー
２  外殻体
３，４１，５１，６１  アイロンベース（噴出部）
７  貯水部
９  気化ユニット
１４  ヒータ
２１，２１Ａ，２１Ｂ，２１Ｃ，４３，４３Ａ，４３Ｂ，４３Ｃ，５３，６３，６３Ｌ，６３Ｒ  噴出孔部
２２，４４，５４，６４  噴出孔部群
２８Ａ，２８Ｂ，２８Ｃ  錐状凹部
３０Ａ，３０Ｂ，３０Ｃ  仮想底面
３１Ａ，３１Ｂ，３１Ｃ  仮想頂点
Ａｃａ，Ａｃｂ，Ａｃｃ  中心軸線
Ａｖａ，Ａｖｂ，Ａｖｃ  垂直軸線
【図１】
2020130651.tif 000003
【図２】
2020130651.tif 000004
【図３】
2020130651.tif 000005
【図４】
2020130651.tif 000006
【図５】
2020130651.tif 000007
【図６】
2020130651.tif 000008
【図７】
2020130651.tif 000009
【図８】
2020130651.tif 000010
【図９】
2020130651.tif 000011
【図１０】
2020130651.tif 000012
【図１１】
2020130651.tif 000013